(57)【要約】      （修正有）【課題】２つのフレキシブルフラット同士が重なることを防ぐことができ、互いのフレキシブルフラットケーブル間の不要輻射を防ぐように改善することができるフレキシブルフラットケーブルの配線構造を提供する。【解決手段】ＤＶＤメイン基板２の一辺からメカ基板３とＡＶ基板４までそれぞれフレキシブルフラットケーブル８、９が配線され、それぞれのフレキシブルフラットケーブル８、９が途中から水平向きで略直角方向に折り曲げられて配線されたフレキシブルフラットケーブルの配線構造において、それぞれのフレキシブルフラットケーブル８、９が接触しないように水平方向に間隔をおいて略直角方向に折り曲げられて配線されている。【選択図】図１
2008171465.tif 000002
【特許請求の範囲】
【請求項１】
ＤＶＤメイン基板の一辺からメカ基板とＡＶ基板までそれぞれフレキシブルフラットケーブルが配線され、それぞれのフレキシブルフラットケーブルが途中から水平向きで略直角方向に折り曲げられて配線されたフレキシブルフラットケーブルの配線構造において、それぞれのフレキシブルフラットケーブルが接触しないように水平方向に間隔をおいて略直角方向に折り曲げられて配線されていることを特徴とするフレキシブルフラットケーブルの配線構造。
【請求項２】
ＤＶＤメイン基板の一辺からメカ基板とＡＶ基板までそれぞれフレキシブルフラットケーブルが配線され、それぞれのフレキシブルフラットケーブルが途中から水平向きで略直角方向に配線されたフレキシブルフラットケーブルの配線構造において、それぞれのフラットケーブルが接触しないように間隔をおいて略直角方向に折り曲げられて配線されていることを特徴とするフレキシブルフラットケーブルの配線構造。
【請求項３】
前記一方のフレキシブルフラットケーブルと他方のフレキシブルフラットケーブルが上下方向に間隔をおいて配線され、その間に電波吸収体が配置されている請求項２に記載のフレキシブルフラットケーブルの配線構造。
【請求項４】
前記ＤＶＤメイン基板の下側にクランプ保持部材が配置され、このクランプ保持部材から間隔をおいて２本の間隔保持用片が立設され、前記間隔保持用片は上部に互いに外向きの折り曲げ部を有し、それぞれのフレキシブルフラットケーブルがこれらの間隔保持用片の外側面に接して水平方向に間隔をおいて配線されている請求項２に記載のフレキシブルフラットケーブルの配線構造。
【発明の詳細な説明】
【技術分野】
【０００１】
本発明は、ＤＶＤメイン基板の一辺からメカ基板とＡＶ基板までそれぞれフレキシブルフラットケーブルが配線され、それぞれのフレキシブルフラットケーブルが途中から水平向きで略直角方向に折り曲げられて配線されたフレキシブルフラットケーブルの配線構造に関するものである。
【背景技術】
【０００２】
従来のフレキシブルフラットケーブルの配線構造は、図４に示すように、ＤＶＤメイン基板１０１の一辺に配置された２つのコネクタ１０２、１０３からその下側に配置されたメカ基板（図示略）とこのメカ基板の下側に配置されたＡＶ基板（図示略）とに、それぞれ配線された２つのフレキシブルフラットケーブル１０４、１０５が途中から水平向きで略直角方向に折り曲げられてメカ基板とＡＶ基板とに配線されていた。ところが、図４に明示するように、これらの２つのフレキシブルフラットケーブル１０４、１０５は上下に重なった状態で配線されていたために、互いの不要輻射に影響を及ぼすという不具合が発生するといった問題があった。
【０００３】
第１の従来技術を図５（ａ）（ｂ）（ｃ）に示す。この従来の固定体と往復回転体間の配線部材は、図５（ａ）（ｂ）（ｃ）に示すように、フラットケーブル２０１の中間部を２回折り曲げることにより、折り曲げ部２０２から一端側へ延びるフラットケーブル２０１Ａと他端側へ延びるフラットケーブル２０１Ｂを幅方向に重ならないようにする。折り曲げ部２０２から一端側へ延びるフラットケーブル２０１Ａを折り曲げ部２０２のまわりに巻回し、この巻回部２０３の巻き締まりと巻き弛みで往復回転体の往復を吸収するようにしている。（例えば、特許文献１参照）。
【０００４】
ところが、これにおいては、１つのフラットケーブル２０１の折り曲げ状態が記載されているだけであり、２つのフラットケーブルの配線状態に関するものではなく、不要輻射には関係のないものであった。
【０００５】
第２の従来技術を図６に示す。この従来の操作ボタン制御回路基板と機器ユニットとの間を折り曲げられたフレキシブルフラットケーブルによって接続した複合電子機器は、図６に示すように、光ディスク記録／再生ユニットの操作ボタンの操作信号をこのユニットの制御回路基板上の操作制御回路に伝えるために、光ディスク記録／再生ユニットとその下方に配置された制御回路基板３６２の間であって制御回路基板３６２の機器前方に配置したコネクタＡと操作ボタン制御回路基板３３６上のコネクタＢとの間を、山折り３０１及び谷折り３０２によりＺ状に折り曲げられたフレキシブルフラットケーブル３００によって接続している。（例えば、特許文献２参照）。
【０００６】
ところが、これにおいては、１つのフレキシブルフラットケーブル３００の折り曲げ上体についてだけ記載されているだけであり、２つのフレキシブルフラットケーブルの配線状態に関するものではなく、不要輻射には関係のないものであった。
【特許文献１】特開平１１−２６５７７４号公報
【特許文献２】特開２００５−１３５５３７号公報
【発明の開示】
【発明が解決しようとする課題】
【０００７】
本発明は、上記従来の問題に鑑みてなされたものであって、２つのフレキシブルフラット同士が重なることを防ぐことができ、互いのフレキシブルフラットケーブル間の不要輻射を防ぐように改善することができるフレキシブルフラットケーブルの配線構造を提供することを目的としている。
【課題を解決するための手段】
【０００８】
本発明は、上記課題を解決するために提案されたものであって、請求項１に記載の発明は、ＤＶＤメイン基板の一辺からメカ基板とＡＶ基板までそれぞれフレキシブルフラットケーブルが配線され、それぞれのフレキシブルフラットケーブルが途中から水平向きで略直角方向に折り曲げられて配線されたフレキシブルフラットケーブルの配線構造において、それぞれのフレキシブルフラットケーブルが接触しないように水平方向に間隔をおいて略直角方向に折り曲げられて配線されていることを特徴としている。
【０００９】
請求項２に記載の発明は、ＤＶＤメイン基板の一辺からメカ基板とＡＶ基板までそれぞれフレキシブルフラットケーブルが配線され、それぞれのフレキシブルフラットケーブルが途中から水平向きで略直角方向に配線されたフレキシブルフラットケーブルの配線構造において、それぞれのフラットケーブルが接触しないように間隔をおいて略直角方向に折り曲げられて配線されていることを特徴としている。
【００１０】
請求項３に記載の発明は、請求項２に記載の発明において、前記一方のフレキシブルフラットケーブルと他方のフレキシブルフラットケーブルが上下方向に間隔をおいて配線され、その間に電波吸収体が配置されている。
【００１１】
請求項４に記載の発明は、請求項２に記載の発明において、前記ＤＶＤメイン基板の下側にクランプ保持部材が配置され、このクランプ保持部材から間隔をおいて２本の間隔保持用片が立設され、前記間隔保持用片は上部に互いに外向きの折り曲げ部を有し、それぞれのフレキシブルフラットケーブルがこれらの間隔保持用片の外側面に接して水平方向に間隔をおいて配線されている。
【発明の効果】
【００１２】
請求項１に記載の発明によれば、ＤＶＤメイン基板の一辺からメカ基板とＡＶ基板まで配線されたそれぞれのフレキシブルフラットケーブルが水平方向に間隔をおいて略直角方向に折り曲げられて配線されているから、互いのフレキシブルフラットケーブルが重なって接触することを防ぐことができ、互いのフレキシブルフラットケーブル間の不要輻射を防ぐことができる効果を奏する。
【００１３】
請求項２に記載の発明によれば、ＤＶＤメイン基板の一辺からメカ基板とＡＶ基板まで配線されたそれぞれのフレキシブルフラットケーブルが間隔をおいて略直角方向に折り曲げられて配線されているから、互いのフレキシブルフラットケーブルが接触することを防ぐことができ、互いのフレキシブルフラットケーブル間の不要輻射を防ぐことができる効果を奏する。
【００１４】
請求項３に記載の発明によれば、互いのフレキシブルフラットケーブルが上下方向に間隔をおいて配線され、その間に電波吸収体が配置されているから、両フレキシブルフラットケーブルが接触することを防ぐことができると共に、その間の電波吸収体によって不要輻射が吸収されて一方のフレキシブルフラットケーブルの不要輻射が他方のフレキシブルフラットケーブルに影響することを防ぐことができる。また、フレキシブルフラットケーブルが上下に間隔をおいて配線されているから、省スペース化を図ることができる。
【００１５】
請求項４に記載の発明によれば、クランプ保持部材から間隔をおいて立設された２本の間隔保持用片によって互いのフレキシブルフラットケーブルの略直角方向に折り曲げられた部分が間隔をおいて保持されるから、互いのフレキシブルフラットの接触を確実に防ぐことができ、一方のフレキシブルフラットケーブルの不要輻射が他方のフレキシブルフラットケーブルに影響することを防ぐことができる。また、間隔保持用片には、上部に互いに外向きの折り曲げ部が設けられているから、互いのフレキシブルフラットケーブルが上向きに外れることを防ぐことができて、互いのフレキシブルフラットケーブルが接触することを防ぐことができ、より一層互いの不要輻射が影響することを防ぐことができる。
【発明を実施するための最良の形態】
【００１６】
以下、本発明に係るフレキシブルフラットケーブルの配線構造の実施の形態について、図を参照しつつ説明する。
【００１７】
図１は本発明の第１実施形態のフレキシブルフラットケーブルの配線構造を示し、（ａ）はその部分平面図、（ｂ）はその全体構造を示す平面図である。
【００１８】
この第１実施形態のフレキシブルフラットケーブルの配線構造は、図１（ｂ）に示すように、筐体１内にＤＶＤメイン基板２が配置され、その下側にローダー（図示略）が配置され、更にその下側にメカ基板３が配置され、このメカ基板３の下側にＡＶ基板４が配置されていて、このＡＶ基板４上にＶＨＳ５が配置されている。図１（ａ）にも示すように、ＤＶＤメイン基板２の一辺に２つのコネクタ６、７が配置され、それぞれのコネクタ６、７には大小のフレキシブルフラットケーブル８、９が接続され、一方のフレキシブルフラットケーブル８はメカ基板３に配置されたコネクタ１０に接続され、他方のフレキシブルフラットケーブル９はＡＶ基板４に配置されたコネクタ１１に接続されている。２つのフレキシブルフラットケーブル８、９は中途部で水平方向に間隔をおいて略直角方向に折り曲げられている。
【００１９】
従って、この第１実施形態によれば、ＤＶＤメイン基板２の一辺からメカ基板３とＡＶ基板４まで配線されたそれぞれのフレキシブルフラットケーブル８、９が水平方向に間隔をおいて略直角方向に折り曲げられて配線されているから、互いのフレキシブルフラットケーブル８、９が重なって接触することを防ぐことができ、互いのフレキシブルフラットケーブル８、９間の不要輻射を防ぐことができる。
【００２０】
図２は第２実施形態のフレキシブルフラットケーブルの配線構造を示す要部の部分側面図である。
【００２１】
この第２実施形態のフレキシブルフラットケーブルの配線構造は、図２に示すように、２つのフレキシブルフラットケーブル８、９が上下方向に間隔をおいて配線されており、その間に電波吸収体１２が配置され、この電波吸収体１２は上下面が両面テープで上下のフレキシブルフラットケーブル８、９に貼着されている。
【００２２】
従って、この第２実施形態によれば、互いのフレキシブルフラットケーブル８、９が上下方向に間隔をおいて配線され、その間に電波吸収体１２が配置されているから、両フレキシブルフラットケーブル８、９が接触することを防ぐことができると共に、その間の電波吸収体１２によって不要輻射が吸収されて一方のフレキシブルフラットケーブル８又は９の不要輻射が他方のフレキシブルフラットケーブル９又は８に影響することを防ぐことができる。また、フレキシブルフラットケーブル８、９が上下に間隔をおいて配線されているから、省スペース化を図ることができる。
【００２３】
図３は第３実施形態のフレキシブルフラットケーブルの配線構造を示す要部の部分側面図である。
【００２４】
この第３実施形態のフレキシブルフラットケーブルの配線構造は、図３に示すように、ＤＶＤメイン基板２（図１参照）の下側に合成樹脂からなるクランプ保持部材１３が配置され、このクランプ保持部材１３から間隔をおいて２本の間隔保持用片１４、１５が立設され、これらの間隔保持用片１４、１５には上部に互いに外向きの折り曲げ部１４ａ、１５ａが設けられている。これらの間隔保持用片１４、１５の外側面に接するように、それぞれフレキシブルフラットケーブル８、９の略直角に折り曲げられた部分が接して水平方向に間隔をおいて配線されている。
【００２５】
従って、この第３実施形態によれば、クランプ保持部材１３から間隔をおいて立設された２本の間隔保持用片１４、１５によって互いのフレキシブルフラットケーブル８、９の略直角方向に折り曲げられた部分が間隔をおいて保持されるから、互いのフレキシブルフラット８、９の接触を確実に防ぐことができ、一方のフレキシブルフラットケーブル８又は９の不要輻射が他方のフレキシブルフラットケーブル９又は８に影響することを防ぐことができる。また、間隔保持用片１４、１５には、上部に互いに外向きの折り曲げ部１４ａ、１５ａが設けられているから、互いのフレキシブルフラットケーブル８、９が上向きに外れることを防ぐことができて、互いのフレキシブルフラットケーブル８、９が接触することを防ぐことができ、より一層互いの不要輻射が影響することを防ぐことができる。
【００２６】
尚、本発明は上記した各実施形態に限らず、例えば、ＤＶＤメイン基板２の上面と下面にコネクタを配置して、これらのコネクタにそれぞれフレキシブルフラットケーブル８、９を接続することによって、互いのフレキシブルフラットケーブル８、９が上下に間隔をおいて接触することなく配線するようにできることは勿論である。
【図面の簡単な説明】
【００２７】
【図１】本発明の第１実施形態のフレキシブルフラットケーブルの配線構造を示し、（ａ）はその部分平面図、（ｂ）はその全体構造を示す平面図である。
【図２】第２実施形態のフレキシブルフラットケーブルの配線構造を示す要部の部分側面図である。
【図３】第３実施形態のフレキシブルフラットケーブルの配線構造を示す要部の部分側面図である。
【図４】従来のフレキシブルフラットケーブルの配線構造を示す部分平面図である。
【図５】従来の固定体と往復回転体間の配線部材を示し、（ａ）はその平面図、（ｂ）はその正面図、（ｃ）はその底面図である。
【図６】従来の操作ボタン制御回路基板と機器ユニットとの間を折り曲げられたフレキシブルフラットケーブルによって接続した複合電子機器におけるフレキシブルフラットケーブルによるコネクタ（Ａ）（Ｂ）間の接続状態を示す斜視図である。
【符号の説明】
【００２８】
１          筐体
２          ＤＶＤメイン基板
３          メカ基板
４          ＡＶ基板
５          ＶＨＳ
６          コネクタ
７          コネクタ
８          フレキシブルフラットケーブル
９          フレキシブルフラットケーブル
１０        コネクタ
１１        コネクタ
１２        電波吸収体
１３        クランプ保持部材
１４        間隔保持用片
１４ａ      折り曲げ部
１５        間隔保持用片
１５ａ      折り曲げ部
【図１】
2008171465.tif 000003
【図２】
2008171465.tif 000004
【図３】
2008171465.tif 000005
【図４】
2008171465.tif 000006
【図５】
2008171465.tif 000007
【図６】
2008171465.tif 000008